(57)【要約】      （修正有）【課題】リボンやレースなどの飾りを取り付けることができ、ある程度の力が加わったときに飾りが容易に外れるように形成した飾り用具、及び、その取付装置を提供する。【解決手段】係合突起を有する基部材１１と、前記係合突起と係合させるための係合孔を有する蓋部材２０と、を設けた。前記係合突起の先端には、扁平な係合片を設けた。前記係合孔の内周壁には、前記係合片と係合可能なストッパ溝を形成した。前記基部材１１及び前記蓋部材２０は、前記係合片と前記ストッパ溝との係合を解除することができる程度に、互いに傾動可能に布地２００を挟み込むようにした。【選択図】図１０
0003164911.tif 000002
【実用新案登録請求の範囲】
【請求項１】
衣類等の布地を表裏から挟み込んで取り付けられる飾り用具であって、
一方面側から布地を押し上げるための係合突起を有する基部材と、
布地の他方面側に設けられ、前記係合突起と係合させるための係合孔を有する蓋部材と、
を備え、
前記係合突起の先端には、扁平な係合片が設けられ、
前記係合孔の内周壁には、前記係合片と係合可能なストッパ溝が形成され、
前記係合突起を前記係合孔に挿入したのちに、前記基部材と前記蓋部材とを相対回転させることで、前記係合片が前記ストッパ溝に係合し、
前記基部材及び前記蓋部材は、前記係合片と前記ストッパ溝との係合を解除することができる程度に、互いに傾動可能に布地を挟み込むことを特徴とする、飾り用具。
【請求項２】
前記基部材又は前記蓋部材の少なくともいずれかの表面に、飾りを取り付けるための飾り取付部を設けたことを特徴とする、請求項１記載の飾り用具。
【請求項３】
前記飾り取付部は、雄又は雌のスナップボタンであることを特徴とする、請求項２記載の飾り用具。
【請求項４】
前記基部材及び前記蓋部材は、互いに９０度相対回転させることで前記係合片が前記ストッパ溝に係合することを特徴とする、請求項１〜３のいずれかに記載の飾り用具。
【請求項５】
請求項１〜４のいずれかに記載の飾り用具を布地に取り付けるための取付装置であって、
基端側が互いに回動可能に枢着させられたベース台およびハンドル部を備え、
前記ベース台の先端には、前記基部材を載置するための載置台が設けられ、
前記ハンドル部の先端には、前記蓋部材の側部を保持するための保持部が設けられ、
前記保持部は、前記ハンドル部に設けられた操作部を操作したときに回動可能に形成され、
前記載置台に載置された前記基部材と前記保持部に保持された前記蓋部材とで布地を挟み込み、更に前記操作部を操作して前記保持部が保持する前記蓋部材を回転させ、前記係合片と前記ストッパ溝とを係合させることを特徴とする、飾り用具の取付装置。
【請求項６】
前記基部材又は前記保持部を回転させて布地に取り付けた前記飾り用具を取り外すための取り外し手段を備えていることを特徴とする、請求項５記載の飾り用具の取付装置。
【請求項７】
前記操作部を操作したときに、前記保持部が保持する前記蓋部材が９０度回転することを特徴とする、請求項５又は６記載の飾り用具の取付装置。
【考案の詳細な説明】
【技術分野】
【０００１】
この考案は、衣類等の布地を表裏から挟み込んで取り付けられる飾り用具、及び、その取付装置に関するものである。
【背景技術】
【０００２】
従来、衣類等の布地を表裏から挟み込んで取り付けられるバッジ等の飾り用具が知られている。
【０００３】
例えば、特許文献１には、衣服等に取り付けて飾るためのバッジとして、アルミニウム等でそれぞれ一体成形された嵌合体と蓋体とで構成されたバッジが開示されている。この特許文献１記載のバッジにおいては、嵌合体と蓋体とが布地をはさんで嵌合し、バッジが抜け落ちるのを防止するようにしている。
【先行技術文献】
【特許文献】
【０００４】
【特許文献１】実登３０６０６０７号公報
【考案の概要】
【考案が解決しようとする課題】
【０００５】
ところで、このような衣類等の布地に取り付ける飾り用具としては種々のものが考えられ、例えばリボンやレースなどの飾りを取り付けるためのものも考えられる。
【０００６】
しかしながら、このようなリボンやレースなどの飾りを強固に取り付けた場合、これらの飾りを取り付ける位置によっては、リボンやレースが絡まってしまったり、引っ掛かってしまうことが考えられる。特に、幼児などの衣服に飾りを取り付けた場合には、幼児が滑り台などの遊具で遊んでいるときにリボンやレースが引っ掛かってしまうと、首が絞まるなどの事故になる可能性もある。
【０００７】
そこで、本考案は、例えばリボンやレースなどの飾りを取り付けることができ、ある程度の力が加わったときに飾りが容易に外れるように形成した飾り用具、及び、その取付装置を提供することを課題とする。
【課題を解決するための手段】
【０００８】
本考案は、上記した課題を解決するためになされたものであり、以下を特徴とする。
【０００９】
（請求項１）
請求項１に記載の考案は、以下の点を特徴とする。
【００１０】
すなわち、請求項１に記載の飾り用具は、衣類等の布地を表裏から挟み込んで取り付けられる飾り用具であって、一方面側から布地を押し上げるための係合突起を有する基部材と、布地の他方面側に設けられ、前記係合突起と係合させるための係合孔を有する蓋部材と、を備え、前記係合突起の先端には、扁平な係合片が設けられ、前記係合孔の内周壁には、前記係合片と係合可能なストッパ溝が形成され、前記係合突起を前記係合孔に挿入したのちに、前記基部材と前記蓋部材とを相対回転させることで、前記係合片が前記ストッパ溝に係合し、前記基部材及び前記蓋部材は、前記係合片と前記ストッパ溝との係合を解除することができる程度に、互いに傾動可能に布地を挟み込むことを特徴とする。
【００１１】
（請求項２）
請求項２に記載の考案は、上記した請求項１記載の考案の特徴点に加え、以下の点を特徴とする。
【００１２】
すなわち、前記基部材又は前記蓋部材の少なくともいずれかの表面に、飾りを取り付けるための飾り取付部を設けたことを特徴とする。
【００１３】
（請求項３）
請求項３に記載の考案は、上記した請求項２記載の考案の特徴点に加え、以下の点を特徴とする。
【００１４】
すなわち、前記飾り取付部は、雄又は雌のスナップボタンであることを特徴とする。
【００１５】
（請求項４）
請求項４に記載の考案は、上記した請求項１〜３のいずれかに記載の考案の特徴点に加え、以下の点を特徴とする。
【００１６】
すなわち、前記基部材及び前記蓋部材は、互いに９０度相対回転させることで前記係合片が前記ストッパ溝に係合することを特徴とする。
【００１７】
（請求項５）
請求項５に記載の考案は、上記した請求項１〜４のいずれかに記載の飾り用具を布地に取り付けるための取付装置であって、以下の点を特徴とする。
【００１８】
すなわち、基端側が互いに回動可能に枢着させられたベース台およびハンドル部を備え、前記ベース台の先端には、前記基部材を載置するための載置台が設けられ、前記ハンドル部の先端には、前記蓋部材の側部を保持するための保持部が設けられ、前記保持部は、前記ハンドル部に設けられた操作部を操作したときに回動可能に形成され、前記載置台に載置された前記基部材と前記保持部に保持された前記蓋部材とで布地を挟み込み、更に前記操作部を操作して前記保持部が保持する前記蓋部材を回転させ、前記係合片と前記ストッパ溝とを係合させることを特徴とする。
【００１９】
（請求項６）
請求項６に記載の考案は、上記した請求項５記載の考案の特徴点に加え、以下の点を特徴とする。
【００２０】
すなわち、前記基部材又は前記保持部を回転させて布地に取り付けた前記飾り用具を取り外すための取り外し手段を備えていることを特徴とする。
【００２１】
（請求項７）
請求項７に記載の考案は、上記した請求項５又は６記載の考案の特徴点に加え、以下の点を特徴とする。
【００２２】
すなわち、前記操作部を操作したときに、前記保持部が保持する前記蓋部材が９０度回転することを特徴とする。
【考案の効果】
【００２３】
請求項１に記載の考案は上記の通りであり、基部材及び蓋部材が、係合片とストッパ溝との係合を解除することができる程度に、互いに傾動可能に布地を挟み込むように形成されている。このため、飾り用具を布地に取り付けることができるとともに、布地が引っ張られるなどしたときには、基部材及び蓋部材が互いに傾動して、係合片とストッパ溝との係合が解除され、基部材及び蓋部材が布地から外れるようになっている。すなわち、ある程度の力が加わったときに飾りが容易に外れるようになっているため、例えばリボンやレースなどの飾りを取り付けた場合でも安全な飾り用具を提供できる。また、飾り用具が引っ掛かった場合でも、飾り用具が布地から外れるため、布地を無理に引っ張ることがなく、布地を傷めることを防止できる。
【００２４】
また、請求項２に記載の考案は上記の通りであり、前記基部材又は前記蓋部材の少なくともいずれかの表面に、飾りを取り付けるための飾り取付部を設けたため、飾りを複数用意すれば、様々な種類の飾りを付け外しすることができる。
【００２５】
また、請求項３に記載の考案は上記の通りであり、前記飾り取付部は、雄又は雌のスナップボタンであるため、このスナップボタンと嵌合する雄又は雌のスナップボタンを取り付けた飾りを複数用意すれば、様々な種類の飾りを付け外しすることができる。また、スナップボタンを取り付けた飾りを他の布地（衣類等）に取り付けることもできる。
【００２６】
また、請求項４に記載の考案は上記の通りであり、前記基部材及び前記蓋部材は、互いに９０度相対回転させることで前記係合片が前記ストッパ溝に係合するため、適度な強度でもって係合片をストッパ溝に係合させることができる。
【００２７】
また、請求項５に記載の考案は上記の通りであり、操作部を操作して係合片とストッパ溝とを係合させることができるので、例えば幼児等であっても、楽しく簡単に飾り用具を衣類等の布地に取り付けることができる。
【００２８】
また、請求項６に記載の考案は上記の通りであり、前記基部材又は前記保持部を回転させて布地に取り付けた前記飾り用具を取り外すための取り外し手段を備えているため、飾り用具の取り付けのみならず、取り外しも容易に行うことができる。
【００２９】
また、請求項７に記載の考案は上記の通りであり、前記操作部を操作したときに、前記保持部が保持する前記蓋部材が９０度回転し、これによって前記係合片が前記ストッパ溝に係合するため、適度な強度でもって係合片をストッパ溝に係合させることができる。
【図面の簡単な説明】
【００３０】
【図１】飾り用具及び取付装置の外観斜視図である。
【図２】基部材の（ａ）上から見た斜視図、（ｂ）下から見た斜視図である。
【図３】蓋部材の（ａ）上から見た斜視図、（ｂ）下から見た斜視図である。
【図４】基部材と蓋部材とで布地を挟み込む様子を示す縦断面図であって、（ａ）挟み込む前の状態を示す図、（ｂ）係合突起を係合孔に挿入した状態を示す図、（ｃ）基部材と蓋部材とを９０度相対回転させた状態を示す図である。
【図５】基部材と蓋部材とを９０度相対回転させる様子を示す横断面図であって、（ａ）回転させる前の状態を示す図、（ｂ）回転させた後の状態を示す図である。
【図６】取付装置の分解説明図である。
【図７】取付装置の操作部を操作する様子を示す説明図である。
【図８】保持部が回動する様子を示す図であって、（ａ）回動前の状態を示す図、（ｂ）回動後の状態を示す図である。
【図９】飾りの例を示す図である。
【図１０】飾りを飾り用具に装着する様子を示す縦断面図であって、（ａ）装着前の状態を示す図、（ｂ）装着後の状態を示す図である。
【図１１】基部材及び蓋部材が互いに傾動する様子を示す縦断面図である。
【考案を実施するための形態】
【００３１】
本考案の実施形態について、図を参照しつつ説明する。
【００３２】
本実施形態に係る飾り用具１０は、衣類等の布地２００を表裏から挟み込んで取り付けられるものであり、図１に示すように、基部材１１と、蓋部材２０とを、備えて構成される。
【００３３】
基部材１１は、布地２００の裏側に配置されるものであり、図２に示すように、円盤状のベース部１２と、このベース部１２に一体的に突出形成された係合突起１３と、を備えている。この係合突起１３は、布地２００を裏側から押し上げるためのものであり、後述する係合孔２１に挿入されるものである。
【００３４】
この係合突起１３の先端には、図２に示すように、扁平な係合片１４が離反方向に延設されており、これにより係合突起１３の先端が拡開するように形成されている。この係合片１４は、後述するストッパ溝２７に係合するものである。
【００３５】
なお、基部材１１の裏側（係合突起１３が設けられた側とは逆側）には、嵌合溝１５が細長形状で凹設されており、後述する取付装置３０の嵌合突起３５に嵌合するように形成されている。
【００３６】
一方、蓋部材２０は、布地２００の表面側に設けられるものであり、図３に示すように、筒部２５と、この筒部２５の表側の端部を覆う蓋部２２と、この筒部２５の裏側の端部を覆う底部２９と、で構成されている。
【００３７】
このうち、蓋部２２は、布地２００に取り付けられたときに露出する面を形成しており、その露出面に雌スナップボタン２４が形成されたものである。この雌スナップボタン２４は、後述する飾り１００を装着するためのものであり、中央に雄のスナップボタンを嵌入させるための孔が設けられている。
【００３８】
また、底部２９は、布地２００に取り付けられたときに布地２００に当接する部分であり、布地２００との当接面に開口２３を形成している。この開口２３は、基部材１１の係合片１４が通過可能なように、係合片１４と相似する形状で、係合片１４よりも大きく形成されている。また、この開口２３の長手方向の幅は係合片１４の長手方向の幅よりも大きく、また、短手方向の幅は係合片１４の長手方向の幅よりも小さく、かつ、係合片１４の短手方向の幅よりも大きく形成されている。このため、開口２３の長手方向と係合片１４の長手方向とを合致させたときには、係合片１４が開口２３を通過可能とするとともに、開口２３の長手方向と係合片１４の長手方向とを合致させないときには、係合片１４が開口２３を通過できないように形成されている。
【００３９】
また、筒部２５は、上記した底部２９の開口２３と連通する中空部を有しており、この中空部によって、上記した底部２９の開口２３を入口とする係合孔２１を形成している。
【００４０】
この係合孔２１は、前述した基部材１１の係合突起１３と係合させるためのものであり、内周壁２６の短手方向には、図５に示すように、対向する位置に２つのストッパ溝２７が形成されている。この２つのストッパ溝２７は、前記した基部材１１の係合片１４と係合するものであり、基部材１１と蓋部材２０とを相対回転させることで、係合片１４がストッパ溝２７に係合するように形成されている。
【００４１】
なお、この筒部２５の外周側壁には、図３に示すように、対向する位置が切欠かれて被保持部２８が形成されている。この被保持部２８は、後述する取付装置３０の係止爪４０で保持されるためのものである。
【００４２】
次に、この飾り用具１０を布地２００に取り付ける手順について説明する。
【００４３】
この飾り用具１０を布地２００に取り付ける際には、図４（ａ）に示すように、まず、基部材１１の係合突起１３と、蓋部材２０の係合孔２１とが、布地２００を挟んで対向するように配置する。
【００４４】
次に、図４（ｂ）に示すように、係合突起１３を係合孔２１に挿入する。このとき、図５（ａ）に示すように、係合孔２１の長手方向と係合突起１３の長手方向とが一致するように挿入する。
【００４５】
そして、係合突起１３を係合孔２１に挿入した後に、基部材１１と蓋部材２０とを９０度相対回転させると、図４（ｃ）に示すような状態となる。このとき、図５（ｂ）に示すように、水平方向においては、係合片１４がストッパ溝２７に入り込んで係合し、挿抜方向においては、開口２３の縁部で係合片１４の上部を覆い、係合片１４が抜けないように引っ掛けている。このため、基部材１１と蓋部材２０が嵌合し、飾り用具１０が布地２００に取り付けられる。
【００４６】
ところで、上記した飾り用具１０は、両手で基部材１１及び蓋部材２０をそれぞれ持ち、手作業で布地２００に取り付けることもできるが、本実施形態においては、取付装置３０を用いることで、例えば幼児が飾り用具１０を取り付ける場合であっても、容易かつ楽しく作業ができるようになっている。
【００４７】
すなわち、本実施形態に係る取付装置３０は、飾り用具１０を布地２００に取り付けるためのものであり、図１に示すように、ベース台３１およびハンドル部３７を備えている。このベース台３１およびハンドル部３７の基端側３０ａは、互いに回動可能となるように回動軸３０ｃによって軸支されており、このベース台３１およびハンドル部３７を互いに回動させることで、取付装置３０の先端側３０ｂが開閉し、布地２００を挟み込むことができるように形成されている。
【００４８】
ベース台３１は、図６に示すように、底板部３６と、この底板部３６の基端側３０ａに設けられたハンドル支持部３２と、この底板部３６の先端側３０ｂに設けられた載置台３３と、を備えている。
【００４９】
このうち、ハンドル支持部３２は、ハンドル部３７を回動自在に支持するためのものであり、回動軸３０ｃを挿通可能な軸孔３２ａを有している。
【００５０】
また、載置台３３は、前述した基部材１１を載置するためのものであり、上面に凹陥部３４が形成されて基部材１１が嵌め込み可能となっている。この凹陥部３４の中央には、基部材１１の嵌合溝１５と嵌合する嵌合突起３５が設けられており、この嵌合溝１５と嵌合突起３５とを嵌合させることにより、基部材１１の載置方向を決定できるように形成されている。
【００５１】
なお、底板部３６の基端には、布地２００に取り付けた飾り用具１０を取り外すための基端突起３６ａが設けられている。この基端突起３６ａは、後述する嵌合突起３５と略同じ大きさで形成されており、基部材１１の嵌合溝１５に嵌合する大きさとなっている。この基端突起３６ａを使用して布地２００に取り付けた飾り用具１０を取り外す際には、まず基部材１１の嵌合溝１５に基端突起３６ａを差し込み、その後、スクリュードライバーの要領で取付装置３０を回転させることで基部材１１を回転させる。このように基部材１１を回転させることで係合片１４とストッパ溝２７との係合を解除させ、布地２００に取り付けた飾り用具１０を取り外す。
【００５２】
ハンドル部３７は、図６に示すように、ベース台３１に対して回動自在に設けられたアーム３８と、このアーム３８の先端に設けられた保持部３９と、このアーム３８の上面に露出形成された操作部４１と、を備えている。
【００５３】
ここで、アーム３８の基端側３０ａには、軸孔３７ａが設けられており、この軸孔３７ａは前記したベース台３１の軸孔３２ａと連通するように配置されて回動軸３０ｃで固定される。これにより、アーム３８は、ベース台３１に対して回動自在となっている。
【００５４】
また、保持部３９は、飾り用具１０を構成する蓋部材２０の側部を保持するためのものであり、蓋部材２０の被保持部２８を保持するための係止爪４０を備えている。この係止爪４０は、スパナ状に形成され、蓋部材２０の被保持部２８を両側から挟み込むことができるように形成されている。このため、係止爪４０の開放側から蓋部材２０を差し込むことで、保持部３９に蓋部材２０を装着することができるようになっている。
【００５５】
この保持部３９は、通常時においては、後述する付勢部材４３によってアーム３８側方に係止爪４０を開放するように付勢されているが、後述する操作部４１が操作されたときには、この位置から約９０度回動するように形成されている。
【００５６】
また、操作部４１は、前記保持部３９を回動させるためのものであり、図６に示すように、ハート形の取っ手として形成されている。この操作部４１は、図７に示すように水平方向に回動操作可能に形成されている。この操作部４１を操作すると、図８に示すように、アーム３８内部の回動機構が作動し、保持部３９が回動する。詳しくは、図８（ａ）に示すように、付勢手段４３に抗して操作部４１を回動操作すると、操作部４１に一体形成された操作歯車４２が回転し、この操作歯車４２と噛み合うギア４４が回転する。このギア４４の回転力が保持部３９に伝達され、図８（ｂ）に示すように、保持部３９が約９０度回動する。なお、保持部３９は、保持部３９が約９０度回動するのに必要な分だけ回転操作可能に形成されており、それ以上回転しないようにストッパ（図示せず）が設けられている。また、操作部４１を約９０度回動させたのちに上方に引っ張ると、操作部４１及び保持部３９の巻き戻しを阻止するロック手段（図示せず）が働き、付勢部材４３に抗って、保持部３９が約９０度回動した状態が保持されるようになっている。なお、このロック手段を解除するには操作部４１を押し込めばよく、操作部４１を押し込めば付勢手段４３による付勢力によって図８（ａ）の状態に戻る。
【００５７】
この取付装置３０の具体的な使用方法は以下の通りである。
【００５８】
すなわち、まず、図６に示されているように、ベース台３１先端の載置台３３に基部材１１を載置するとともに、ハンドル部３７先端の保持部３９に蓋部材２０を挟持させる。このとき、基部材１１の嵌合溝１５が載置台３３の嵌合突起３５に嵌合し、蓋部材２０の被保持部２８が保持部３９の係止爪４０で保持されることにより、基部材１１の係合片１４の長手方向と、蓋部材２０の開口２３の長手方向と、が一致するように形成されている。
【００５９】
上記のように基部材１１及び蓋部材２０を取付装置３０に取り付けたら、ハンドル部３７をベース台３１から離反する方向に回動させ、回動させることにより生じた隙間に布地２００を差し込む。その後、ハンドル部３７とベース台３１とを閉じて布地２００を挟み込む。これにより、載置台３３に載置された基部材１１と、保持部３９に保持された蓋部材２０とで布地２００を挟み込むとともに、基部材１１の係合片１４が係合孔２１に挿入される（図４（ｂ）の状態）。このとき、係合片１４が布地２００を係合孔２１に押し込むこととなる。
【００６０】
この状態で図７に示すように操作部４１を操作すると、保持部３９が約９０度回転し、すなわち、保持部３９が保持する蓋部材２０が約９０度回転する。このため、図４（ｃ）及び図５（ｂ）に示すように、係合片１４がストッパ溝２７に係合される。このとき、操作部４１を約９０度回動させたのちに上方に引っ張ることで、前述したロック手段が働き、保持部３９が約９０度回動した状態が保持される。
【００６１】
そして、ハンドル部３７をベース台３１から離反する方向に回動させて、取付装置３０から布地２００を取り除けば、布地２００への飾り用具１０の取り付けが完了する。
【００６２】
ここで、本実施形態に係る飾り用具１０は、飾り用具１０自体に飾りを設ける形態とはせず、別途用意した飾り１００をスナップボタンにて飾り用具１０に装着することとしている。
【００６３】
飾り用具１０に装着される飾り１００は、例えば図９に示すように種々のものが考えられ、いずれも雄スナップボタン１０１を備えている。この雄スナップボタン１０１は、飾り用具１０の蓋部材２０に形成された雌スナップボタン２４に嵌合するものであり、縫い付けや貼り付け等の固定方法により、飾り１００に固定されている。なお、この飾り１００は、市販のスナップボタンを縫い付け等することでユーザーが自作することも可能である。また、特に図示しないが、例えばレースなどの帯状の飾り１００など、大きめの飾り１００を使用する場合には、飾り１００の複数個所に複数のスナップボタンを取り付け、この複数のスナップボタンのそれぞれを飾り用具１０に装着することとしてもよい。
【００６４】
これらの飾り１００は、既に衣類等の布地２００に取り付けてある飾り用具１０に対して装着される。すなわち、図１０に示すように、予め飾り用具１０を衣類等の布地２００に取り付け、この飾り用具１０の蓋部２２の上面に形成された雌スナップボタン２４に対し、飾り１００の雄スナップボタン１０１を嵌入することで、布地２００に飾り１００が取り付けられる。
【００６５】
ここで、このように飾り１００を衣類等に取り付けたときに、リボンやレースなどの飾り１００をあまり強固に取り付け過ぎると、これらの飾り１００を取り付ける位置によっては、飾り１００が絡まってしまったり、引っ掛かってしまうことが考えられる。特に、幼児などの衣服に飾り１００を取り付けた場合には、幼児が滑り台などの遊具で遊んでいるときに飾り１００が引っ掛かってしまうと、首が絞まるなどの事故になる可能性がある。
【００６６】
そこで、本実施形態においては、飾り１００に対してある程度の力が加わったときに飾り１００が外れるように形成されている。
【００６７】
すなわち、図１１に示すように、係合孔２１の深さＤは、係合片１４の厚みＴと比較して、２倍以上となるように形成されており、係合孔２１内部で係合片１４が傾動可能となっている。このため、係合片１４とストッパ溝２７とを係合させて基部材１１と蓋部材２０とで布地２００を挟み込んだ場合でも、基部材１１と蓋部材２０とが互いに傾動可能となっている。ここで、図５に示すように、係合片１４とストッパ溝２７とを係合は、互いに水平な状態においてかろうじて接触する程度であるため、基部材１１と蓋部材２０とが互いに傾動して回動すると、この係合は解除されることとなる。布地２００を挟み込んだ状態では、布地２００の厚みと摩擦力によって傾動や回動が抑制されるため、自然に飾り用具１０が外れてしまうことはない。しかしながら、飾り１００が引っ掛かるなどのある程度の強い力が加われば、容易に係合片１４とストッパ溝２７との係合が解除され、基部材１１と蓋部材２０とが外れるように形成されている。
【００６８】
以上説明したように、本実施形態によれば、布地２００が引っ張られるなどしたときには、基部材１１及び蓋部材２０が互いに傾動して、係合片１４とストッパ溝２７との係合が解除され、基部材１１及び蓋部材２０が布地２００から外れるようになっている。このように、ある程度の力が加わったときに飾り１００が容易に外れるようになっているため、例えばリボンやレースなどの飾り１００を取り付けた場合でも安全な飾り用具１０となっている。また、飾り用具１０が引っ掛かった場合でも、飾り用具１０が布地２００から外れるため、布地２００を無理に引っ張ることがなく、布地２００を傷めることを防止できる。
【００６９】
また、蓋部材２０の表面には、雌スナップボタン２４が設けられているため、この雌スナップボタン２４と嵌合する雄スナップボタン１０１を取り付けた飾り１００であれば、どのような種類の飾り１００であっても付け外しすることができる。また、これらの飾り１００を他の布地（衣類等）に取り付けることもできる。
【００７０】
また、取付装置３０を使用して基部材１１と蓋部材２０とを結合させることができるので、例えば幼児等であっても、楽しく簡単に飾り用具１０を衣類等の布地２００に取り付けることができる。
【００７１】
なお、上記した実施形態においては、蓋部材２０の表面に雌スナップボタン２４を設け、飾り１００に雄スナップボタン１０１を取り付けることとしたが、これに限らない。すなわち、蓋部材２０の表面に雄スナップボタンを設け、飾り１００に雌スナップボタンを取り付けることとしてもよい。
【００７２】
また、上記した実施形態においては、飾りを取り付けるための飾り取付部としてスナップボタンを用いたが、これに限らない。例えば、飾り取付部として面ファスナーを用いることとし、飾りにも面ファスナーを取り付けることで、両者を接着可能としてもよい。また、蓋部材２０に外嵌可能な凹部を有する飾りを用意し、蓋部材２０に凹部を嵌合させることで飾りを取り付けることとしてもよい。
【００７３】
また、上記した実施形態においては、飾り用具１０自体に飾りを設ける形態とはせず、別途用意した飾り１００をスナップボタンにて飾り用具１０に取り付けることとしたが、これに限らず、飾り用具１０自体に飾りを設けるようにしてもよい。
【符号の説明】
【００７４】
１０  飾り用具
１１  基部材
１２  ベース部
１３  係合突起
１４  係合片
１５  嵌合溝
２０  蓋部材
２１  係合孔
２２  蓋部
２３  開口
２４  雌スナップボタン
２５  筒部
２６  内周壁
２７  ストッパ溝
２８  被保持部
２９  底部
３０  取付装置
３０ａ  基端側
３０ｂ  先端側
３０ｃ  回動軸
３１  ベース台
３２  ハンドル支持部
３２ａ  軸孔
３３  載置台
３４  凹陥部
３５  嵌合突起
３６  底板部
３６ａ  基端突起（取り外し手段）
３７  ハンドル部
３７ａ  軸孔
３８  アーム
３９  保持部
４０  係止爪
４１  操作部
４２  操作歯車
４３  付勢部材
４４  ギア
１００  飾り
１０１  雄スナップボタン
２００  布地
Ｄ  係合孔の深さ
Ｔ  係合片の厚み
【図１】
0003164911.tif 000003
【図２】
0003164911.tif 000004
【図３】
0003164911.tif 000005
【図４】
0003164911.tif 000006
【図５】
0003164911.tif 000007
【図６】
0003164911.tif 000008
【図７】
0003164911.tif 000009
【図８】
0003164911.tif 000010
【図９】
0003164911.tif 000011
【図１０】
0003164911.tif 000012
【図１１】
0003164911.tif 000013